(57)【要約】【課題】オーバードライブ駆動に悪影響を与えることなく、フレームメモリにアクセスする際の信号処理を簡略化することができる映像信号処理装置を提供する。【解決手段】フレームレート変換部１０は、実フレーム信号Ｓ０と補間フレーム信号Ｓ0.5をDRAM１１に書き込んで読み出すことにより、フレーム周波数を変換する。フレームレート変換部１０は、現在フレームのフレーム信号Ｓ10aを１０ビットで、１フレーム前のフレーム信号Ｓ10bを８ビットで出力する。ＲＧＢ変換部２１は、フレーム信号Ｓ10aをＲＧＢ信号Ｓ２１に変換する。ＲＧＢ変換部２２は、８ビットのフレーム信号Ｓ10bとフレーム信号Ｓ10aの下位２ビットとを合成して、ＲＧＢ信号Ｓ２２に変換する。オーバードライブ処理部５０は、ＲＧＢ信号Ｓ２１，Ｓ２２の差分値に応じて、ＲＧＢ信号Ｓ２１の振幅値を補正する。【選択図】図１
2014164073.tif 000002
【特許請求の範囲】
【請求項１】
それぞれ第１のビット数を有する輝度信号及び色差信号よりなり、第１のフレーム周波数を有する第１及び第２の映像信号をフレームメモリに書き込んで、前記フレームメモリより、前記第１のビット数を有する現在フレームの第１のフレーム信号と、前記第１のビット数の下位の１または複数ビットである下位ビットを除いた上位ビットよりなる第２のビット数を有し、前記現在フレームより１フレーム前の第２のフレーム信号とを読み出して、前記第１及び第２のフレーム信号を前記第１のフレーム周波数より高い第２のフレーム周波数に変換して出力するフレームレート変換部と、
前記第１のフレーム信号の輝度信号及び色差信号を第１のＲＧＢ信号に変換する第１のＲＧＢ変換部と、
前記第２のフレーム信号の最下位ビット側に前記第１のフレーム信号における前記下位ビットを配置して前記第１のビット数を有する合成データとし、前記合成データの輝度信号及び色差信号を第２のＲＧＢ信号に変換する第２のＲＧＢ変換部と、
前記第１のＲＧＢ信号と前記第２のＲＧＢ信号との差分値に応じて、前記第１のＲＧＢ信号の振幅値を補正するオーバードライブ処理部と、
を備えることを特徴とする映像信号処理装置。
【請求項２】
前記フレームレート変換部は、
実フレームにより構成された実フレーム信号を前記第１の映像信号とし、前記実フレーム信号の隣接する実フレーム間に内挿する補間フレームにより構成された補間フレーム信号を前記第２の映像信号とし、
前記フレームメモリより前記実フレーム信号と前記補間フレーム信号とを交互に読み出して前記第２のフレーム周波数に変換し、
前記実フレーム信号を前記第１のフレーム信号としているときには、前記補間フレーム信号を前記第２のフレーム信号とし、前記補間フレーム信号を前記第１のフレーム信号としているときには、前記実フレーム信号を前記第２のフレーム信号とする
ことを特徴とする請求項１記載の映像信号処理装置。
【請求項３】
前記フレームレート変換部は、
立体映像信号における右目画像信号または左目画像信号の一方を前記第１の映像信号とし、右目画像信号または左目画像信号の他方を前記第２の映像信号とし、
前記フレームメモリより前記第１の映像信号と前記第２の映像信号とを交互に読み出して前記第２のフレーム周波数に変換し、
前記第１の映像信号を前記第１のフレーム信号としているときには、前記第２の映像信号を前記第２のフレーム信号とし、前記第２の映像信号を前記第１のフレーム信号としているときには、前記第１の映像信号を前記第２のフレーム信号とする
ことを特徴とする請求項１記載の映像信号処理装置。
【請求項４】
前記オーバードライブ処理部は、
前記第１のＲＧＢ信号と前記第２のＲＧＢ信号との差分値に応じてオーバードライブ係数を算出するオーバードライブ係数算出部と、
前記第１のＲＧＢ信号に前記オーバードライブ係数を乗算する乗算器と、
を有することを特徴とする請求項１〜３のいずれか１項に記載の映像信号処理装置。
【請求項５】
前記オーバードライブ処理部は、
前記第１のＲＧＢ信号と前記第２のＲＧＢ信号との差分値を求める減算器と、
前記減算器の出力に所定の係数を乗算する乗算器と、
前記第１のＲＧＢ信号に前記乗算器の出力を加算する加算器と、
を有することを特徴とする請求項１〜３のいずれか１項に記載の映像信号処理装置。
【請求項６】
それぞれ第１のビット数を有する輝度信号及び色差信号よりなり、第１のフレーム周波数を有する第１及び第２の映像信号をフレームメモリに書き込んで、前記フレームメモリより、前記第１のビット数を有する現在フレームの第１のフレーム信号と、前記第１のビット数の下位の１または複数ビットである下位ビットを除いた上位ビットよりなる第２のビット数を有し、前記現在フレームより１フレーム前の第２のフレーム信号とを読み出して、前記第１及び第２のフレーム信号を前記第１のフレーム周波数より高い第２のフレーム周波数に変換し、
前記第１のフレーム信号の輝度信号及び色差信号を第１のＲＧＢ信号に変換し、
前記第２のフレーム信号の最下位ビット側に前記第１のフレーム信号における前記下位ビットを配置して前記第１のビット数を有する合成データとし、
前記合成データの輝度信号及び色差信号を第２のＲＧＢ信号に変換し、
前記第１のＲＧＢ信号と前記第２のＲＧＢ信号との差分値に応じて前記第１のＲＧＢ信号の振幅値を補正することによりオーバードライブ処理する
ことを特徴とする映像信号処理方法。
【発明の詳細な説明】
【技術分野】
【０００１】
本発明は、液晶表示装置に映像信号を供給して映像表示させる際に、液晶表示装置を、液晶の応答速度を補って動画ぼやけを低減させるオーバードライブ駆動させるよう映像信号を処理する映像信号処理装置及び方法に関する。
【背景技術】
【０００２】
例えば特許文献１，２に記載されているように、液晶表示装置は、一般的に、動画表示特性を改善するため、映像信号のフレーム周波数を２倍または４倍のように複数倍に変換するフレームレート変換部を備える。液晶表示装置は、フレームレート変換部によって高フレームレート化した映像信号を映像表示する。
【０００３】
また、特許文献１，２に記載されているように、液晶表示装置は、液晶の応答速度を補って動画ぼやけを低減させるオーバードライブ処理部を備える。オーバードライブは、時間軸方向の高域成分を強調する時間軸強調とも称される。オーバードライブ処理部を用いて液晶表示装置をオーバードライブ駆動させるためには、現在フレームの映像信号と、フレームメモリによって現在フレームの映像信号を１フレーム遅延させた１フレーム前の映像信号とが必要となる。
【先行技術文献】
【特許文献】
【０００４】
【特許文献１】特開２００５−１４８５２１号公報
【特許文献２】特開２０１０−１９７５４８号公報
【発明の概要】
【発明が解決しようとする課題】
【０００５】
近年、高画質化の要求が高くなり、液晶表示装置に供給する映像信号のビット数は以前よりも増大している。従って、フレームメモリに対して映像信号を書き込んだり、書き込んだ映像信号を読み出したりするために、フレームメモリにアクセスする際のデータレートは以前よりも大幅に増大している。
【０００６】
フレームメモリにアクセスする際のデータレートの増大は、信号処理の煩雑化を招く。信号処理が煩雑化すれば、発熱量が増大したり、高コストになったりする等の不具合を招いてしまう。
【０００７】
そこで、フレームレート変換部とオーバードライブ処理部とを備える映像信号処理装置において、フレームメモリにアクセスする際の信号処理を極力簡略化することが望まれる。但し、このとき、オーバードライブ駆動に悪影響を与えることなく、映像信号がオーバードライブ駆動を必要とする状態であるときに的確に液晶表示装置をオーバードライブ駆動させることが必要である。
【０００８】
本発明はこのような要望に対応するため、オーバードライブ駆動に悪影響を与えることなく的確に液晶表示装置をオーバードライブ駆動させることができ、フレームメモリにアクセスする際の信号処理を簡略化することができる映像信号処理装置及び方法を提供することを目的とする。
【課題を解決するための手段】
【０００９】
本発明は、上述した従来の技術の課題を解決するため、それぞれ第１のビット数を有する輝度信号及び色差信号よりなり、第１のフレーム周波数を有する第１及び第２の映像信号をフレームメモリ（１１）に書き込んで、前記フレームメモリより、前記第１のビット数を有する現在フレームの第１のフレーム信号と、前記第１のビット数の下位の１または複数ビットである下位ビットを除いた上位ビットよりなる第２のビット数を有し、前記現在フレームより１フレーム前の第２のフレーム信号とを読み出して、前記第１及び第２のフレーム信号を前記第１のフレーム周波数より高い第２のフレーム周波数に変換して出力するフレームレート変換部（１０）と、前記第１のフレーム信号の輝度信号及び色差信号を第１のＲＧＢ信号に変換する第１のＲＧＢ変換部（２１）と、前記第２のフレーム信号の最下位ビット側に前記第１のフレーム信号における前記下位ビットを配置して前記第１のビット数を有する合成データとし、前記合成データの輝度信号及び色差信号を第２のＲＧＢ信号に変換する第２のＲＧＢ変換部（２２）と、前記第１のＲＧＢ信号と前記第２のＲＧＢ信号との差分値に応じて、前記第１のＲＧＢ信号の振幅値を補正するオーバードライブ処理部（５０，５１）とを備えることを特徴とする映像信号処理装置を提供する。
【００１０】
また、本発明は、上述した従来の技術の課題を解決するため、それぞれ第１のビット数を有する輝度信号及び色差信号よりなり、第１のフレーム周波数を有する第１及び第２の映像信号をフレームメモリ（１１）に書き込んで、前記フレームメモリより、前記第１のビット数を有する現在フレームの第１のフレーム信号と、前記第１のビット数の下位の１または複数ビットである下位ビットを除いた上位ビットよりなる第２のビット数を有し、前記現在フレームより１フレーム前の第２のフレーム信号とを読み出して、前記第１及び第２のフレーム信号を前記第１のフレーム周波数より高い第２のフレーム周波数に変換し、前記第１のフレーム信号の輝度信号及び色差信号を第１のＲＧＢ信号に変換し、前記第２のフレーム信号の最下位ビット側に前記第１のフレーム信号における前記下位ビットを配置して前記第１のビット数を有する合成データとし、前記合成データの輝度信号及び色差信号を第２のＲＧＢ信号に変換し、前記第１のＲＧＢ信号と前記第２のＲＧＢ信号との差分値に応じて前記第１のＲＧＢ信号の振幅値を補正することによりオーバードライブ処理することを特徴とする映像信号処理方法を提供する。
【発明の効果】
【００１１】
本発明の映像信号処理装置及び方法によれば、オーバードライブ駆動に悪影響を与えることなく的確に液晶表示装置をオーバードライブ駆動させることができ、フレームメモリにアクセスする際の信号処理を簡略化することができる。
【図面の簡単な説明】
【００１２】
【図１】一実施形態の映像信号処理装置を示すブロック図である。
【図２】図１中のフレームレート変換部１０の動作を説明するための図である。
【図３】図１中のＲＧＢ変換部２１，２２の動作を説明するための概念図である。
【図４】図１中のオーバードライブ処理部５０の動作を説明するための図である。
【図５】オーバードライブ処理部の他の構成例を示すブロック図である。
【発明を実施するための形態】
【００１３】
以下、一実施形態の映像信号処理装置及び方法について、添付図面を参照して説明する。図１において、フレームレート変換部１０には、映像信号の実フレームを構成する画素データである実フレーム信号Ｓ０と、隣接する実フレーム間に内挿する補間フレームを構成する画素データである補間フレーム信号Ｓ0.5とが入力される。本実施形態では、実フレーム信号Ｓ０及び補間フレーム信号Ｓ0.5は、それぞれ、輝度信号Ｙ及び色差信号Ｐｂ，Ｐｒよりなる。
【００１４】
映像信号のフレーム周波数が６０Ｈｚであるとすると、実フレーム信号Ｓ０は、図２の（ａ）に示すように、１／６０秒間隔の実フレームＦ１，Ｆ２，Ｆ３…より構成される。補間フレーム信号Ｓ0.5は、図２の（ｂ）に示すように、１／６０秒間隔の補間フレームＦ1.5，Ｆ2.5，Ｆ3.5…より構成される。
【００１５】
補間フレーム信号Ｓ0.5は、フレームレート変換部１０の前段に設けられている図示していない補間部において、少なくとも隣接する２つの実フレームの画素データに基づいて生成される。補間部は、例えば動き補償型フレーム補間によって補間フレーム信号Ｓ0.5を生成する。補間フレーム信号Ｓ0.5を生成する補間部の構成及び動作は特許文献１，２に記載されているようによく知られており、ここでは説明を省略することとする。
【００１６】
本実施形態においては、実フレーム信号Ｓ０及び補間フレーム信号Ｓ0.5を構成する輝度信号Ｙ及び色差信号Ｐｂ，Ｐｒを１０ビットのデジタルデータとしている。輝度信号Ｙ及び色差信号Ｐｂ，Ｐｒはいわゆる４：４：４の形式である。データ量を削減するために、色差信号Ｐｂ，Ｐｒのデータを間引いて、４：２：２の形式としてもよい。
【００１７】
フレームレート変換部１０は、フレームメモリとしてのDRAM（Dynamic Random Access Memory）１１を有する。フレームレート変換部１０は、実フレーム信号Ｓ０及び補間フレーム信号Ｓ0.5をDRAM１１に書き込み、フレーム周波数６０Ｈｚの２倍の１２０Ｈｚで実フレーム信号Ｓ０と補間フレーム信号Ｓ0.5とを交互に読み出すことにより、映像信号のフレーム周波数を１２０Ｈｚに変換する。
【００１８】
フレームレート変換部１０より出力される映像信号は、図２の（ｃ）に示すように、１／１２０秒間隔で実フレームＦ１，Ｆ２，Ｆ３…と補間フレームＦ1.5，Ｆ2.5，Ｆ3.5…とが交互に配置された状態となる。
【００１９】
フレームレート変換部１０は、現在フレームを構成する画素データであるフレーム信号Ｓ10aと、フレーム信号Ｓ10aの１フレーム前のフレームを構成する画素データであるフレーム信号Ｓ10bとを出力する。図２の（ｃ）において、例えば、フレーム信号Ｓ10aが実フレームＦ２であれば、フレーム信号Ｓ10bは補間フレームＦ1.5であり、フレーム信号Ｓ10aが補間フレームＦ2.5であれば、フレーム信号Ｓ10bは実フレームＦ２である。
【００２０】
実フレームにより構成された実フレーム信号Ｓ０を第１の映像信号とし、実フレーム信号Ｓ０の隣接する実フレーム間に内挿する補間フレームにより構成された補間フレーム信号Ｓ0.5を第２の映像信号とすれば、フレームレート変換部１０の動作は次のとおりである。
【００２１】
フレームレート変換部１０は、DRAM１１より実フレーム信号Ｓ０と補間フレーム信号Ｓ0.5とを交互に読み出してフレーム周波数を変換する。フレームレート変換部１０は、実フレーム信号Ｓ０をフレーム信号Ｓ10a（第１のフレーム信号）としているときには、補間フレーム信号Ｓ0.5をフレーム信号Ｓ10b（第２のフレーム信号）とし、補間フレーム信号Ｓ0.5をフレーム信号Ｓ10aとしているときには、実フレーム信号Ｓ０をフレーム信号Ｓ10bとする。
【００２２】
フレームレート変換部１０は、フレーム周波数を変換後の隣接する２フレームのフレーム信号Ｓ10a，Ｓ10bを出力する。実フレーム信号Ｓ０及び補間フレーム信号Ｓ0.5が１０ビットであるので、フレームレート変換部１０はそれぞれ１０ビットのフレーム信号Ｓ10a，Ｓ10bを出力するのが一般的である。
【００２３】
本実施形態においては、フレームレート変換部１０は、DRAM１１より、実フレーム信号Ｓ０または補間フレーム信号Ｓ0.5の１０ビットをフレーム信号Ｓ10aとして読み出す。一方、フレームレート変換部１０は、DRAM１１より、実フレーム信号Ｓ０または補間フレーム信号Ｓ0.5の１０ビットのうち、下位の例えば２ビットを除いた８ビットをフレーム信号Ｓ10bとして読み出す。
【００２４】
本実施形態では、実フレーム信号Ｓ０及び補間フレーム信号Ｓ0.5が１０ビットであるので、フレーム信号Ｓ10bを上位８ビットとしている。下位の何ビットを除くかは、実フレーム信号Ｓ０及び補間フレーム信号Ｓ0.5のビット数に応じて適宜設定すればよい。下位の１ビットのみを除いてもよい。
【００２５】
１０ビットのフレーム信号Ｓ10aは、ＲＧＢ変換部２１に入力される。８ビットのフレーム信号Ｓ10bは、ＲＧＢ変換部２２に入力される。ＲＧＢ変換部２２には、フレーム信号Ｓ10aの下位２ビットも入力される。
【００２６】
ＲＧＢ変換部２２は、図３に概念的に示すように、８ビットのフレーム信号Ｓ10bの最下位ビット（LSB）側に、ハッチングを付して示すフレーム信号Ｓ10aの下位２ビットを配置して、１０ビットのデータとする。なお、図３において、それぞれの矩形はデジタルデータの１つのビットを示し、MSBは最上位ビットである。
【００２７】
フレーム信号Ｓ10bをDRAM１１より８ビットで読み出すことにより、DRAM１１にアクセスする際のデータレートが低減する。よって、フレーム信号Ｓ10bをDRAM１１より読み出す際の負荷が低減され、信号処理が簡略化される。
【００２８】
ＲＧＢ変換部２１は、入力されたフレーム信号Ｓ10aの輝度信号Ｙ及び色差信号Ｐｂ，Ｐｒを赤色（Ｒ），緑色（Ｇ），青色（Ｂ）信号に変換する。ＲＧＢ変換部２１より出力されるＲ，Ｇ，Ｂ信号をＲＧＢ信号Ｓ２１とする。図１では簡略化のため、ＲＧＢ変換部２１より出力されるＲＧＢ信号Ｓ２１の信号線を１本としている。
【００２９】
ＲＧＢ変換部２２は、８ビットのフレーム信号Ｓ10bとフレーム信号Ｓ10aの下位２ビットとを合成した１０ビットの合成データの輝度信号Ｙ及び色差信号Ｐｂ，ＰｒをＲ，Ｇ，Ｂ信号に変換する。ＲＧＢ変換部２２より出力されるＲ，Ｇ，Ｂ信号をＲＧＢ信号Ｓ２２とする。同様に、図１では簡略化のため、ＲＧＢ変換部２２より出力されるＲＧＢ信号Ｓ２２の信号線を１本としている。
【００３０】
ＲＧＢ信号Ｓ２１，Ｓ２２は、オーバードライブ処理部５０に入力される。オーバードライブ処理部５０は、オーバードライブ係数算出部３０と乗算器４０とを有する。オーバードライブ係数算出部３０には、ＲＧＢ信号Ｓ２１，Ｓ２２が入力される。乗算器４０には、ＲＧＢ信号Ｓ２１が入力される。
【００３１】
オーバードライブ係数算出部３０は、ＲＧＢ信号Ｓ２１とＲＧＢ信号Ｓ２２との差分値の大きさに応じた所定の係数を算出し、係数信号Ｓ３０を出力する。オーバードライブ係数算出部３０は、Ｒ信号に対する係数と、Ｇ信号に対する係数と、Ｂ信号に対する係数とをそれぞれ生成する。係数信号Ｓ３０は、Ｒ，Ｇ，Ｂ信号それぞれに対する係数を示す。オーバードライブ係数算出部３０は、ＲＧＢ信号Ｓ２１とＲＧＢ信号Ｓ２２との差分値が大きいほど係数を大きくすることが好ましい。
【００３２】
係数信号Ｓ３０は乗算器４０に入力される。乗算器４０は、ＲＧＢ信号Ｓ２１に係数信号Ｓ３０が示すＲ，Ｇ，Ｂ信号の係数を乗算して、オーバードライブ処理が施されたＲＧＢ信号Ｓ５０を出力する。図１では簡略化のため、乗算器４０を１つとして図示しているが、実際には、Ｒ，Ｇ，Ｂ信号それぞれに係数を乗算する３つの乗算器が必要である。
【００３３】
以上のように、オーバードライブ処理部５０は、現在フレームのＲＧＢ信号Ｓ２１と１フレーム前のＲＧＢ信号Ｓ２２との差分値に応じて、現在フレームのＲＧＢ信号Ｓ２１の振幅値を補正したＲＧＢ信号Ｓ５０を出力する。ＲＧＢ信号Ｓ５０は、図示していない液晶表示装置の駆動部に供給されて映像表示される。
【００３４】
図４を用いて、オーバードライブ処理部５０によってオーバードライブ処理が施されたＲＧＢ信号Ｓ５０に基づいて、液晶表示装置がオーバードライブ駆動される様子の一例を説明する。図４において、（ａ）はオーバードライブ駆動されていない状態の電圧・光応答波形、（ｂ）はオーバードライブ駆動された状態の電圧・光応答波形を示す。
【００３５】
図４の（ａ）に示すように、オーバードライブ駆動されていない状態では、現在フレームと１フレーム前のフレームとで、電圧（画素レベル）に所定の差分値が発生しても、液晶の応答速度が遅いため、光応答特性はなだらかに変化する。よって、動画ぼやけが発生する。
【００３６】
一方、図４の（ｂ）に示すように、オーバードライブ駆動された状態では、現在フレームと１フレーム前のフレームとの画素レベルの差分値に応じて電圧が増減されるように補正されることから、光応答特性は比較的急峻に変化する。よって、動画ぼやけが低減する。
【００３７】
図１においては、現在フレームのＲＧＢ信号Ｓ２１と１フレーム前のＲＧＢ信号Ｓ２２との差分値に応じて、現在フレームのＲＧＢ信号Ｓ２１の振幅値を増減させる構成として、乗算器４０によって現在フレームのＲＧＢ信号Ｓ２１に係数を乗算するように構成したオーバードライブ処理部５０を示している。オーバードライブ処理部の具体的な構成は、図１に示すオーバードライブ処理部５０に限定されるものではない。
【００３８】
図５を用いて、他の構成のオーバードライブ処理部であるオーバードライブ処理部５１について説明する。図５において、ＲＧＢ信号Ｓ２１は減算器５１１と加算器５１３とに入力される。ＲＧＢ信号Ｓ２２は、減算器５１１に入力される。減算器５１１は、ＲＧＢ信号Ｓ２１よりＲＧＢ信号Ｓ２２を減算する。減算器５１１の出力は、現在フレームのＲＧＢ信号Ｓ２１と１フレーム前のＲＧＢ信号Ｓ２２との差分値を示す。
【００３９】
減算器５１１の出力は、乗算器５１２に入力される。乗算器５１２は、減算器５１１の出力に所定の係数ｋを乗算する。係数ｋは液晶の応答速度に応じて適宜設定すればよい。応答速度が比較的速い場合には小さい値に設定し、応答速度が比較的遅い場合には大きい値に設定する。加算器５１３は、ＲＧＢ信号Ｓ２１と乗算器５１２の出力とを加算して、オーバードライブ処理が施されたＲＧＢ信号Ｓ５１を出力する。
【００４０】
図５に示すオーバードライブ処理部５１の動作を式で表すと、式（１）となる。
Ｓ５１＝Ｓ２１＋ｋ（Ｓ２１−Ｓ２２）    …（１）
【００４１】
オーバードライブ処理部５１は、現在フレームのＲＧＢ信号Ｓ２１と１フレーム前のＲＧＢ信号Ｓ２２との差分値に応じて、現在フレームのＲＧＢ信号Ｓ２１に加算する付加成分を生成して、加算器５１３によって現在フレームのＲＧＢ信号Ｓ２１に付加成分を加算する構成である。なお、図５においても、実際には、減算器５１１，乗算器５１２，加算器５１３が３系統必要である。
【００４２】
ここで、図１の構成によって、オーバードライブ駆動に悪影響を与えることなく、映像信号がオーバードライブ駆動を必要とする状態であるときに的確に液晶表示装置をオーバードライブ駆動させることができる理由を説明する。
【００４３】
上記の説明より分かるように、オーバードライブ駆動は、現在フレームのＲＧＢ信号Ｓ２１の画素レベルと１フレーム前のＲＧＢ信号Ｓ２２の画素レベルとの間に所定の差分値が発生した場合に必要となる処理である。映像信号が静止画像であれば、オーバードライブ駆動する必要はない。映像信号が静止画像であれば、実フレーム信号Ｓ０と補間フレーム信号Ｓ0.5の隣接する２フレームは同じデータである。
【００４４】
映像信号が静止画像であれば、１０ビットの実フレーム信号Ｓ０または補間フレーム信号Ｓ0.5の下位２ビットを除いた８ビットのフレーム信号Ｓ10bに対して、フレーム信号Ｓ10aの下位２ビットを配置した１０ビットの合成データは、フレーム信号Ｓ10bの元となっている実フレーム信号Ｓ０または補間フレーム信号Ｓ0.5と全く同じとなる。
【００４５】
従って、オーバードライブ処理部５０，５１において、現在フレームのＲＧＢ信号Ｓ２１と１フレーム前のＲＧＢ信号Ｓ２２との差分値は０となり、液晶表示装置をオーバードライブ駆動してしまうことはない。映像信号が静止画像のとき、図１に示す本実施形態は、オーバードライブ駆動に悪影響を与えることがない。
【００４６】
なお、単にDRAM１１にアクセスする際のデータレートを低減させることを目的とするのであれば、同様にDRAM１１より８ビットの輝度信号Ｙ及び色差信号Ｐｂ，Ｐｒをフレーム信号Ｓ10bとして読み出し、ＲＧＢ変換部２２が８ビットのＲＧＢ信号Ｓ２２に変換すればよい。この構成を比較例とする。
【００４７】
しかしながら、比較例では、映像信号が静止画像であったとしても、１０ビットのＲＧＢ信号Ｓ２１と８ビットのＲＧＢ信号Ｓ２２との間に差分値が生じて、オーバードライブ駆動してしまう。単にDRAM１１にアクセスする際のデータレートを低減させる比較例では、オーバードライブ駆動の必要のない静止画像においてもオーバードライブ駆動してしまう。よって、比較例では、映像信号がオーバードライブ駆動を必要とする状態であるときに的確に液晶表示装置をオーバードライブ駆動させることはできない。
【００４８】
映像信号が動画像であれば、厳密には、１０ビットの実フレーム信号Ｓ０または補間フレーム信号Ｓ0.5の下位２ビットを除いた８ビットのフレーム信号Ｓ10bに対して、フレーム信号Ｓ10aの下位２ビットを配置した１０ビットの合成データは、フレーム信号Ｓ10bの元となっている実フレーム信号Ｓ０または補間フレーム信号Ｓ0.5とは異なる場合が発生する。
【００４９】
しかしながら、１０ビットの合成データのうち下位２ビットのみ相違する可能性があるものの、上位８ビットは元の実フレーム信号Ｓ０または補間フレーム信号Ｓ0.5と同じである。従って、全体の１０ビットの合成データとしては、十分に無視できる程度の相違である。
【００５０】
以上により、本実施形態によれば、映像信号が静止画像であればオーバードライブ駆動させることはなく、映像信号が動画像であればオーバードライブ駆動させることができる。即ち、本実施形態によれば、映像信号がオーバードライブ駆動を必要とする状態であるときに的確に液晶表示装置をオーバードライブ駆動させることができる。
【００５１】
以上説明した本実施形態においては、フレームレート変換部１０に入力する映像信号を実フレーム信号Ｓ０及び補間フレーム信号Ｓ0.5とする構成について説明したが、フレームレート変換部１０に入力する映像信号を右目用画像信号と左目用画像信号とよりなる立体映像信号としてもよい。
【００５２】
右目用画像と左目用画像とに視差があれば、右目用画像信号と左目用画像信号とには差分値が発生し、オーバードライブ処理部５０，５１において立体映像信号に対してオーバードライブ処理が施されることになる。右目用画像と左目用画像とに視差がなければ、右目用画像信号と左目用画像信号との差分値は０となり、立体映像信号に対してオーバードライブ処理は施されない。
【００５３】
本実施形態においては、フレームレート変換部１０への入力映像信号が立体映像信号の場合、右目用画像と左目用画像とに視差がなければオーバードライブ駆動させることはなく、右目用画像と左目用画像とに視差があるときのみオーバードライブ駆動させることができる。入力映像信号が立体映像信号の場合でも、映像信号がオーバードライブ駆動を必要とする状態であるときに的確に液晶表示装置をオーバードライブ駆動させることができる。
【００５４】
フレームレート変換部１０に入力する映像信号が立体映像信号の場合には、フレームレート変換部１０の動作は次のとおりである。立体映像信号における右目画像信号または左目画像信号の一方を第１の映像信号とし、右目画像信号または左目画像信号の他方を第２の映像信号とする。
【００５５】
フレームレート変換部１０は、DRAM１１より第１の映像信号と第２の映像信号とを交互に読み出してフレーム周波数を変換する。フレームレート変換部１０は、第１の映像信号をフレーム信号Ｓ10a（第１のフレーム信号）としているときには、第２の映像信号をフレーム信号Ｓ10b（第２のフレーム信号）とし、第２の映像信号をフレーム信号Ｓ10aとしているときには、第１の映像信号をフレーム信号Ｓ10bとする。
【００５６】
本発明は以上説明した本実施形態に限定されるものではなく、本発明の要旨を逸脱しない範囲において種々変更可能である。入力映像信号である輝度信号Ｙ及び色差信号Ｐｂ，Ｐｒは１０ビットに限定されない。図１では、DRAM１１をフレームメモリとしたが、DRAM以外のメモリでフレームメモリを構成してもよい。
【符号の説明】
【００５７】
１０  フレームレート変換部
１１  DRAM（フレームメモリ）
２１，２２  ＲＧＢ変換部
３０  オーバードライブ係数算出部
４０，５１２  乗算器
５０，５１  オーバードライブ処理部
５１１  減算器
５１３  加算器
【図１】
2014164073.tif 000003
【図２】
2014164073.tif 000004
【図３】
2014164073.tif 000005
【図４】
2014164073.tif 000006
【図５】
2014164073.tif 000007